【手続補正書】
【提出日】平成29年9月20日(2017.9.20)
【手続補正１】
【補正対象書類名】特許請求の範囲
【補正対象項目名】全文
【補正方法】変更
【補正の内容】
【特許請求の範囲】
【請求項１】
複数の非同期事業者によって共有される第１の無線周波数スペクトル帯域内で１つまたは複数の送信期間について競合するために１つまたは複数のクリアチャネルアセスメント（ＣＣＡ）手順を実施することと、
前記第１の無線周波数スペクトル帯域内で前記１つまたは複数の送信期間についての前記競合に勝つことと、
競合に勝った前記１つまたは複数の送信期間が、しきい値数の連続する送信期間に等しいかまたはそれよりも大きいかどうかを決定することと、
競合に勝った前記１つまたは複数の送信期間が、しきい値数の連続する送信期間に等しいかまたはそれよりも大きいかどうかの前記決定に基づいて、ある時間期間の間、前記第１の無線周波数スペクトル帯域の占有を放棄することと
を備える、ワイヤレス通信のための方法。
【請求項２】
前記第１の無線周波数スペクトル帯域の占有を放棄することが、前記時間期間の間、ＣＣＡ手順を停止すること、送信を停止すること、または受信を停止することのうちの少なくとも１つを備える、請求項１に記載の方法。
【請求項３】
しきい値数の非同期事業者が前記１つまたは複数の送信期間中に前記第１の無線周波数スペクトル帯域について競合しているかどうかを決定することをさらに備え、
ここにおいて、前記第１の無線周波数スペクトル帯域の占有を放棄する前記時間期間は、前記しきい値数の非同期事業者が前記第１の無線周波数スペクトル帯域について競合しているという前記決定に少なくとも部分的に基づく、
請求項１に記載の方法。
【請求項４】
前記しきい値よりも少ない数の非同期事業者が前記１つまたは複数の送信期間中に前記第１の無線周波数スペクトル帯域について競合しているという前記決定に少なくとも部分的に基づいて、前記第１の無線周波数スペクトル帯域の占有の前記放棄を中止すること
をさらに備える、請求項３に記載の方法。
【請求項５】
前記しきい値数の非同期事業者が前記第１の無線周波数スペクトル帯域について競合しているかどうかを決定することが、
１つまたは複数の他の非同期事業者からの送信について監視すること
を備える、請求項３に記載の方法。
【請求項６】
前記監視することが、
前記第１の無線周波数スペクトル帯域の占有の前記放棄の前記時間期間中に前記１つまたは複数の他の非同期事業者からの１つまたは複数のＣＣＡ免除送信（ＣＥＴ）信号について監視すること
を備え、
特に、ここにおいて、前記監視することが、
前記１つまたは複数の他の非同期事業者から前記１つまたは複数のＣＥＴ信号を受信することと、
前記第１の無線周波数スペクトル帯域の占有を放棄することより前に、前記しきい値数の連続する送信期間を調整すること
をさらに備え、
特に、ここにおいて、前記監視することが、
前記１つまたは複数の他の非同期事業者からの前記１つまたは複数のＣＥＴ信号について監視することと、前記１つまたは複数のＣＥＴ信号からの識別された情報を報告することとを行うようにユーザ機器を構成すること
をさらに備える、請求項５に記載の方法。
【請求項７】
しきい値数の非同期事業者が前記無線周波数スペクトル帯域について競合しているかどうかを決定することが、
ユーザ機器またはＸ２通信リンクのうちの１つまたは複数を介して前記１つまたは複数の非同期事業者を識別する情報を受信すること
を備える、請求項３に記載の方法。
【請求項８】
前記連続する送信期間のしきい値数が、
前記１つまたは複数の送信期間中に前記無線周波数スペクトル帯域について競合するためにＣＣＡ手順を実施している非同期事業者の数、あるいは
前記複数の非同期事業者のうちの１つにおけるデータバックログの量
のうちの１つまたは複数に基づいて決定される、請求項１に記載の方法。
【請求項９】
前記複数の非同期事業者のうちの前記１つからの送信について前記第１の無線周波数スペクトル帯域の占有の放棄の前記時間期間中に前記第１の無線周波数スペクトル帯域を監視することと、
前記複数の非同期事業者のうちの前記１つからの前記送信がない場合、前記連続する送信期間のしきい値数を増加させることと、
前記複数の非同期事業者のうちの前記１つからの前記送信が検出されたとき、前記連続する送信期間のしきい値数を減少させることと
をさらに備える、請求項８に記載の方法。
【請求項１０】
前記１つまたは複数のＣＣＡ手順のうちのＣＣＡ手順が、協調ノードのセットの間で第１の競合期間中に実施され、
ここにおいて、前記しきい値数の連続する送信期間についての競合に勝ったと決定することは、前記しきい値数の連続する送信期間について協調ノードの前記セットのうちの１つまたは複数のノードが競合に勝ったと決定することを備える、
請求項１に記載の方法。
【請求項１１】
前記第１の無線周波数スペクトル帯域の占有の前記放棄の前記時間期間中に第２の無線周波数スペクトル帯域を占有すること
をさらに備える、請求項１に記載の方法。
【請求項１２】
複数の非同期事業者によって共有される無線周波数スペクトル帯域内で１つまたは複数の送信期間について競合するために１つまたは複数のクリアチャネルアセスメント（ＣＣＡ）手順を実施するための手段と、
前記無線周波数スペクトル帯域内で前記１つまたは複数の送信期間についての競合に勝ったことを識別するための手段と、
競合に勝った前記１つまたは複数の送信期間が、しきい値数の連続する送信期間に等しいかまたはそれよりも大きいかどうかを決定するための手段と、
競合に勝った前記１つまたは複数の送信期間が、しきい値数の連続する送信期間に等しいかまたはそれよりも大きいかどうかの前記決定に基づいて、ある時間期間の間、前記無線周波数スペクトル帯域の占有を放棄するための手段と
を備える、ワイヤレス通信のための装置。
【請求項１３】
しきい値数の非同期事業者が前記送信期間のうちの１つまたは複数中に前記無線周波数スペクトル帯域について競合しているかどうかを決定するための手段をさらに備え、
ここにおいて、前記無線周波数スペクトル帯域の占有を放棄する前記時間期間は、しきい値数の非同期事業者が前記無線周波数スペクトル帯域について競合しているという前記決定に少なくとも部分的に基づき、
特に、前記しきい値よりも少ない数の非同期事業者が１つまたは複数の送信期間中に前記無線周波数スペクトル帯域について競合しているという前記決定に少なくとも部分的に基づいて、前記無線周波数スペクトル帯域の占有の前記放棄を中止するための手段
をさらに備える、請求項１２に記載の装置。
【請求項１４】
前記連続する送信期間のしきい値数が、
送信期間中に前記無線周波数スペクトル帯域について競合するためにＣＣＡ手順を実施している非同期事業者の数、または
前記複数の非同期事業者のうちの１つにおけるデータバックログの量
のうちの１つまたは複数に基づいて決定され、
特に、
前記複数の非同期事業者のうちの前記１つからの送信について前記無線周波数スペクトル帯域の占有の放棄の前記時間期間中に前記無線周波数スペクトル帯域を監視するための手段と、
前記複数の非同期事業者のうちの前記１つからの送信がない場合、前記連続する送信期間のしきい値数を増加させるための手段と、
前記複数の非同期事業者のうちの１つからの送信が検出されたとき、前記連続する送信期間のしきい値数を減少させるための手段と
をさらに備える、請求項１２に記載の装置。
【請求項１５】
プロセッサによって実行されるとき請求項１乃至７に記載のいずれかのステップを実行することをワイヤレス通信装置に行わせるように前記プロセッサによって実行可能な命令を備える、コンピュータプログラム。
【手続補正２】
【補正対象書類名】明細書
【補正対象項目名】０１４７
【補正方法】変更
【補正の内容】
【０１４７】
[0159]  本開示の先の説明は、当業者が本開示を作製または使用することを可能にするために提供される。本開示への様々な変更は当業者には容易に明らかであり、本明細書で定義された一般原理は、本開示の趣旨または範囲から逸脱することなく他の変形形態に適用され得る。本開示全体にわたって、「例」または「例示的」という用語は、一例または一事例を示すものであり、言及された例についての選好を暗示せず、または必要としない。したがって、本開示は、本明細書において説明された例および設計に限定されるべきでなく、本明細書において開示される原理および新規の特徴に合致する最も広い範囲を与えられるべきである。
以下に本願発明の当初の特許請求の範囲に記載された発明を付記する。
［Ｃ１］複数の非同期事業者によって共有される第１の無線周波数スペクトル帯域内で１つまたは複数の送信期間について競合するために１つまたは複数のクリアチャネルアセスメント（ＣＣＡ）手順を実施することと、前記第１の無線周波数スペクトル帯域内で前記１つまたは複数の送信期間についての前記競合に勝つことと、競合に勝った前記１つまたは複数の送信期間が、しきい値数の連続する送信期間に等しいかまたはそれよりも大きいかどうかを決定することと、競合に勝った前記１つまたは複数の送信期間が、しきい値数の連続する送信期間に等しいかまたはそれよりも大きいかどうかの前記決定に基づいて、ある時間期間の間、前記第１の無線周波数スペクトル帯域の占有を放棄することとを備える、ワイヤレス通信のための方法。
［Ｃ２］前記第１の無線周波数スペクトル帯域の占有を放棄することが、前記時間期間の間、ＣＣＡ手順を停止すること、送信を停止すること、または受信を停止することのうちの少なくとも１つを備える、Ｃ１に記載の方法。
［Ｃ３］しきい値数の非同期事業者が前記１つまたは複数の送信期間中に前記第１の無線周波数スペクトル帯域について競合しているかどうかを決定することをさらに備え、そこにおいて、前記第１の無線周波数スペクトル帯域の占有を放棄する前記時間期間は、前記しきい値数の非同期事業者が前記第１の無線周波数スペクトル帯域について競合しているという前記決定に少なくとも部分的に基づく、Ｃ１に記載の方法。
［Ｃ４］前記しきい値よりも少ない数の非同期事業者が前記１つまたは複数の送信期間中に前記第１の無線周波数スペクトル帯域について競合しているという前記決定に少なくとも部分的に基づいて、前記第１の無線周波数スペクトル帯域の占有の前記放棄を中止することをさらに備える、Ｃ３に記載の方法。
［Ｃ５］前記しきい値数の非同期事業者が前記第１の無線周波数スペクトル帯域について競合しているかどうかを決定することが、１つまたは複数の他の非同期事業者からの送信について監視することを備える、Ｃ３に記載の方法。
［Ｃ６］前記監視することが、前記第１の無線周波数スペクトル帯域の占有の前記放棄の前記時間期間中に前記１つまたは複数の他の非同期事業者からの１つまたは複数のＣＣＡ免除送信（ＣＥＴ）信号について監視することを備える、Ｃ５に記載の方法。
［Ｃ７］前記監視することが、前記１つまたは複数の他の非同期事業者から前記１つまたは複数のＣＥＴ信号を受信することと、前記第１の無線周波数スペクトル帯域の占有を放棄することより前に、前記しきい値数の連続する送信期間を調整することをさらに備える、Ｃ６に記載の方法。
［Ｃ８］前記監視することが、前記１つまたは複数の他の非同期事業者からの前記１つまたは複数のＣＥＴ信号について監視することと、前記１つまたは複数のＣＥＴ信号からの識別された情報を報告することとを行うようにユーザ機器を構成することをさらに備える、Ｃ６に記載の方法。
［Ｃ９］しきい値数の非同期事業者が前記無線周波数スペクトル帯域について競合しているかどうかを決定することが、ユーザ機器またはＸ２通信リンクのうちの１つまたは複数を介して前記１つまたは複数の非同期事業者を識別する情報を受信することを備える、Ｃ３に記載の方法。
［Ｃ１０］前記連続する送信期間のしきい値数が、前記１つまたは複数の送信期間中に前記無線周波数スペクトル帯域について競合するためにＣＣＡ手順を実施している非同期事業者の数、あるいは前記複数の非同期事業者のうちの１つにおけるデータバックログの量
のうちの１つまたは複数に基づいて決定される、Ｃ１に記載の方法。
［Ｃ１１］前記複数の非同期事業者のうちの前記１つからの送信について前記第１の無線周波数スペクトル帯域の占有の放棄の前記時間期間中に前記第１の無線周波数スペクトル帯域を監視することと、前記複数の非同期事業者のうちの前記１つからの前記送信がない場合、前記連続する送信期間のしきい値数を増加させることと、前記複数の非同期事業者のうちの前記１つからの前記送信が検出されたとき、前記連続する送信期間のしきい値数を減少させることとをさらに備える、Ｃ１０に記載の方法。
［Ｃ１２］前記１つまたは複数のＣＣＡ手順のうちのＣＣＡ手順が、協調ノードのセットの間で第１の競合期間中に実施され、ここにおいて、前記しきい値数の連続する送信期間についての競合に勝ったと決定することは、前記しきい値数の連続する送信期間について協調ノードの前記セットのうちの１つまたは複数のノードが競合に勝ったと決定することを備える、Ｃ１に記載の方法。
［Ｃ１３］前記第１の無線周波数スペクトル帯域の占有の前記放棄の前記時間期間中に第２の無線周波数スペクトル帯域を占有することをさらに備える、Ｃ１に記載の方法。
［Ｃ１４］複数の非同期事業者によって共有される無線周波数スペクトル帯域内で１つまたは複数の送信期間について競合するために１つまたは複数のクリアチャネルアセスメント（ＣＣＡ）手順を実施するための手段と、前記無線周波数スペクトル帯域内で前記１つまたは複数の送信期間についての競合に勝ったことを識別するための手段と、競合に勝った前記１つまたは複数の送信期間が、しきい値数の連続する送信期間に等しいかまたはそれよりも大きいかどうかを決定するための手段と、競合に勝った前記１つまたは複数の送信期間が、しきい値数の連続する送信期間に等しいかまたはそれよりも大きいかどうかの前記決定に基づいて、ある時間期間の間、前記無線周波数スペクトル帯域の占有を放棄するための手段とを備える、ワイヤレス通信のための装置。
［Ｃ１５］しきい値数の非同期事業者が前記送信期間のうちの１つまたは複数中に前記無線周波数スペクトル帯域について競合しているかどうかを決定するための手段をさらに備え、ここにおいて、前記無線周波数スペクトル帯域の占有を放棄する前記時間期間は、しきい値数の非同期事業者が前記無線周波数スペクトル帯域について競合しているという前記決定に少なくとも部分的に基づく、Ｃ１４に記載の装置。
［Ｃ１６］前記しきい値よりも少ない数の非同期事業者が１つまたは複数の送信期間中に前記無線周波数スペクトル帯域について競合しているという前記決定に少なくとも部分的に基づいて、前記無線周波数スペクトル帯域の占有の前記放棄を中止するための手段をさらに備える、Ｃ１５に記載の装置。
［Ｃ１７］前記連続する送信期間のしきい値数が、送信期間中に前記無線周波数スペクトル帯域について競合するためにＣＣＡ手順を実施している非同期事業者の数、または前記複数の非同期事業者のうちの１つにおけるデータバックログの量のうちの１つまたは複数に基づいて決定される、Ｃ１４に記載の装置。
［Ｃ１８］前記複数の非同期事業者のうちの前記１つからの送信について前記無線周波数スペクトル帯域の占有の放棄の前記時間期間中に前記無線周波数スペクトル帯域を監視するための手段と、前記複数の非同期事業者のうちの前記１つからの送信がない場合、前記連続する送信期間のしきい値数を増加させるための手段と、前記複数の非同期事業者のうちの１つからの送信が検出されたとき、前記連続する送信期間のしきい値数を減少させるための手段とをさらに備える、Ｃ１７に記載の装置。
［Ｃ１９］プロセッサと、前記プロセッサと電子通信しているメモリと、前記メモリに記憶された命令とを備える、ワイヤレス通信のための装置であって、前記命令は、複数の非同期事業者によって共有される第１の無線周波数スペクトル帯域内で１つまたは複数の送信期間について競合するために１つまたは複数のクリアチャネルアセスメント（ＣＣＡ）手順を実施することと、前記第１の無線周波数スペクトル帯域内で前記１つまたは複数の送信期間についての競合に勝ったことを識別することと、競合に勝った前記１つまたは複数の送信期間が、しきい値数の連続する送信期間に等しいかまたはそれよりも大きいかどうかを決定することと、競合に勝った前記１つまたは複数の送信期間が、しきい値数の連続する送信期間に等しいかまたはそれよりも大きいかどうかの前記決定に基づいて、ある時間期間の間、前記第１の無線周波数スペクトル帯域の占有を放棄することとを前記装置に行わせるように前記プロセッサによって実行可能である、装置。
［Ｃ２０］前記命令は、しきい値数の非同期事業者が前記送信期間のうちの１つまたは複数中に前記第１の無線周波数スペクトル帯域について競合しているかどうかを決定することを前記プロセッサに行わせるように前記プロセッサによってさらに実行可能であり、前記第１の無線周波数スペクトル帯域の占有を放棄する前記時間期間は、しきい値数の非同期事業者が前記第１の無線周波数スペクトル帯域について競合しているという前記決定に少なくとも部分的に基づく、Ｃ１９に記載の装置。
［Ｃ２１］前記命令は、前記しきい値よりも少ない数の非同期事業者が１つまたは複数の送信期間中に前記無線周波数スペクトル帯域について競合しているという前記決定に少なくとも部分的に基づいて、前記第１の無線周波数スペクトル帯域の占有の前記放棄を中止することを前記プロセッサに行わせるように前記プロセッサによってさらに実行可能である、Ｃ２０に記載の装置。
［Ｃ２２］前記命令は、前記第１の無線周波数スペクトル帯域の占有の前記放棄の前記時間期間中に他の非同期事業者からの１つまたは複数のＣＣＡ免除送信（ＣＥＴ）信号について監視することを前記プロセッサに行わせるように前記プロセッサによってさらに実行可能である、Ｃ２０に記載の装置。
［Ｃ２３］前記命令は、１つまたは複数の非同期事業者から前記１つまたは複数のＣＥＴ信号を受信することと、送信を停止することより前に前記連続する送信期間のしきい値数を調整することとを前記プロセッサに行わせるように前記プロセッサによってさらに実行可能である、Ｃ２２に記載の装置。
［Ｃ２４］前記命令は、前記１つまたは複数の非同期事業者からの前記１つまたは複数のＣＥＴ信号について監視することと、前記１つまたは複数のＣＥＴ信号からの識別された情報を報告することとを行うようにユーザ機器を構成することを前記プロセッサに行わせるように前記プロセッサによってさらに実行可能である、Ｃ２２に記載の装置。
［Ｃ２５］前記連続する送信期間のしきい値数が、送信期間中に前記第１の無線周波数スペクトル帯域について競合するためにＣＣＡ手順を実施している非同期事業者の数、または前記複数の非同期事業者のうちの１つにおけるデータバックログの量のうちの１つまたは複数に基づいて決定される、Ｃ１９に記載の装置。
［Ｃ２６］前記命令は、前記複数の非同期事業者のうちの１つからの送信について前記第１の無線周波数スペクトル帯域の占有の放棄の前記時間期間中に前記第１の無線周波数スペクトル帯域を監視することと、前記複数の非同期事業者のうちの１つからの送信がない場合、前記連続する送信期間のしきい値数を増加させることと、前記複数の非同期事業者のうちの１つからの送信が検出されたとき、前記連続する送信期間のしきい値数を減少させることとを前記プロセッサに行わせるように前記プロセッサによってさらに実行可能である、Ｃ２５に記載の装置。
［Ｃ２７］前記命令は、前記第１の無線周波数スペクトル帯域の占有の前記放棄の前記時間期間中に第２の無線周波数スペクトル帯域を占有することを前記プロセッサに行わせるように前記プロセッサによってさらに実行可能である、Ｃ１９に記載の装置。
［Ｃ２８］ワイヤレス通信のためのコンピュータプログラム製品であって、複数の非同期事業者によって共有される無線周波数スペクトル帯域内で１つまたは複数の送信期間について競合するために１つまたは複数のクリアチャネルアセスメント（ＣＣＡ）手順を実施することと、前記無線周波数スペクトル帯域内で前記１つまたは複数の送信期間についての競合に勝ったことを識別することと、競合に勝った前記１つまたは複数の送信期間が、しきい値数の連続する送信期間に等しいかまたはそれよりも大きいかどうかを決定することと、競合に勝った前記１つまたは複数の送信期間が、しきい値数の連続する送信期間に等しいかまたはそれよりも大きいかどうかの前記決定に基づいて、ある時間期間の間、前記無線周波数スペクトル帯域の占有を放棄することとをワイヤレス通信装置に行わせるようにプロセッサによって実行可能な命令を記憶した非一時的コンピュータ可読媒体を備える、コンピュータプログラム製品。
［Ｃ２９］前記命令は、しきい値数の非同期事業者が前記送信期間のうちの１つまたは複数中に前記無線周波数スペクトル帯域について競合しているかどうかを決定することを前記装置に行わせるように前記プロセッサによってさらに実行可能であり、前記無線周波数スペクトル帯域の占有を放棄する前記時間期間は、しきい値数の非同期事業者が前記無線周波数スペクトル帯域について競合しているという前記決定に少なくとも部分的に基づく、Ｃ２８に記載のコンピュータプログラム製品。
［Ｃ３０］前記連続する送信期間のしきい値数が、送信期間中に前記無線周波数スペクトル帯域について競合するためにＣＣＡ手順を実施している非同期事業者の数、または前記複数の非同期事業者のうちの１つにおけるデータバックログの量のうちの１つまたは複数に基づいて決定される、Ｃ２８に記載のコンピュータプログラム製品。